(57)【要約】      （修正有）【課題】西陣織の生地を使用することで縁起物という価値を享受できるような特徴的な形態と美しさが付与される、これまでのベビーシューズの態様とは異なる高付加価値のベビーシューズを提供する。【解決手段】ベビーシューズ本体１の表地全体の素材に西陣織（登録商標）の織布を使用する。内部全体にはウレタンスポンジを内包した生地を使用し、バイヤステープ等で両布を縫い付けて本体のパーツを作成し、パーツ同志を縫合することでベビーシューズを形成する。表地に西陣織を使用しているので、装飾性や芸術性に富みなおかつ、縁起物という新たな付加価値を生み出すことができる。【選択図】図１
0003204138.tif 000002
【実用新案登録請求の範囲】
【請求項１】
ベビーシューズ本体（１）は、履き口部（２）と靴底部（３）とつま先部（４）及び足首固定部（５）を設け、前記ベビーシューズ本体（１）の表地に西陣織を使用したことを特徴とするベビーシューズ。
【請求項２】
前記、西陣織の色柄に七宝柄を使用したことを特徴とする請求項１に記載のベビーシューズ。
【請求項３】
前記、ベビーシューズ本体（１）の内部全体にウレタンスポンジを内包した生地を使用したことを特徴とする請求項１、請求項２のいずれか１項に記載のベビーシューズ。
【考案の詳細な説明】
【技術分野】
【０００１】本考案は、ベビーシューズの表地に伝統工芸品である西陣織（西陣織工業組合の登録商標である。以下「西陣織」と称す。）を使用したもので贈答品にふさわしい縁起物のベビーシューズを提供する。
【背景技術】
【０００２】赤ちゃんの足はとても繊細で、柔らかく、筋肉もあまりついておらず、骨格の基礎もできていない。このため、この時期の靴選びは大切である。靴は赤ちゃんの足を保護し、丈夫で健康な足の形成をサポートする大切な役割を担っていることから、次のポイントを重視して靴を選ぶ必要がある。
・つま先に適度なゆとりのあるもの。
・足をしっかり固定できるもの。
・底部が適度に柔らかいもの。
・底部のつま先が上にそっているもの。
・足首まですっぽり包んでサポートできるもの。
・靴の素材は、柔らかくて足になじみ、通気性の良いもの。【０００３】特許文献１には、乳幼児が足を挿入させ易く、履き易いベビーシューズであり、該ベビーシューズのアッパー部は乳幼児や保護者が操作する操作部を備えており、操作部を上方に持ち上げると、ベビーシューズの履き口部に連接して形成される足挿入用開口部が形成されることが開示されている。しかし、従来のこのようなベビーシューズの素材はどれも同じようなものを使用しており、吸湿性や放湿性、防菌効果、防臭効果、保温性、肌触り等の機能を備えた素材を使用したものは無かった。【０００４】また、従来のベビーシューズは、特定ブランドに依拠したベビーシューズに限定されており海外生産品が多い。前述した通り、赤ちゃんの足はとても繊細で、柔らかく、筋肉もあまりついていなく、骨格の基礎もできていないことより、安心、安全性の高さや信頼性からベビーシューズは日本製にこだわる方が多く、中でもお爺ちゃん、お婆ちゃんがお孫さんに購入する際には、縁起物や御利益という価値および、デザイン性、肌触りの良さ等を求めているが、そのような価値が付加されたベビーシューズは無い。また、ベビーシューズは進物品、贈答品とされることが多く、高付加価値商品としてのベビーシューズも無い。
【先行技術文献】
【特許文献】
【０００５】
【特許文献１】特開２０１３−１５４０８１
【考案の概要】
【考案が解決しようとする課題】
【０００６】従来のベビーシューズは単色でキャラクターのプリントの刺しゅうを施したものが多く類似的な製品が多い。ベビーシューズは進物・贈答品とされることが多い中、高付加価値な縁起物としてのベビーシューズは存在しないためにベビーシューズに古来より縁起物として使用されている西陣織を使用する。西陣織は神社・仏閣とも深いゆかりがあり、仏具やお守りに使用されている生地も西陣織である。デザイン性や高機能性を有する高付加価値の製品を製作し、進物・贈答品としてふさわしいベビーシューズを提供する。
【課題を解決するための手段】
【０００７】本考案は、ベビーシューズ本体の表地に古来より縁起物として使用されてきた西陣織を使用することで解決する。
西陣織の多くは絹を原糸とした織物であり、絹は吸湿性、放湿性、防菌効果、防臭効果、保温性及び肌触り感に優れている素材であることは知られている。
その他、現在多くの繊維で西陣織の展開を試みており代表的な繊維として化学繊維（ポリエステル等）が挙げられる。強度があり、変色しにくく、型くずれしないなど汎用性の高い近代的繊維の利用もみられる。
【考案の効果】
【０００８】本考案に係るベビーシューズは、西陣織を装飾することでデザイン性及び縁起物という価値が付加され全体としての装飾的な見栄えを高めることに役立ち、購入者の進物・贈答品として高付加価値の商品となる。しかも、それだけにとどまらず、西陣織は歴史が古くその色柄は無限である。中でも七宝柄は、古来より縁起の良い柄としての価値がある。さらに、前記の優れた機能を持ち合わせており、全体として付加価値の高いベビーシューズを提供することが可能になる。
【図面の簡単な説明】
【０００９】
【図１】本考案に係るベビーシューズの斜視図である。
【図２】本考案の他の実施例を示す斜視図である。
【符号の説明】
【００１０】１  ベビーシューズ本体
２  履き口部
３  靴底部
４  つま先部
５  足首固定部
【考案を実施するための形態】
【００１１】  ベビーシューズ本体１の内部全体や履き口部２の、赤ちゃんの肌に触れる部分は、柔軟性がありクッション性・衝撃吸湿性に優れたウレタンスポンジを内包した生地を使用し、お母さんが履かせやすく脱がせやすく、靴の中で足が動きにくく、かかとをしっかり固定するために、面ファスナー式にしている。靴底部３は、赤ちゃんの足は柔らかいものなのでしっかりしたゴム底よりも柔らかく滑りにくい塩化ビニルを使用することにより室内だけでなく外履きにも利用できる。つま先部４は、赤ちゃんが最初に歩行するものなので、足の指を圧迫して変形の原因にならないように、そして、足の指でうまく地面を蹴ることができたりするように、つま先の幅は広めで、少しゆとりをもたせた構造にしている。また、蹴りだしやすく、つまづきを防止するために、つま先部を少し上方に反らすような構造にしている。
【実施例】
【００１２】図面により、本考案のベビーシューズおよびその作製方法を説明する。図１は、本考案のベビーシューズの斜視図であり、ベビーシューズ本体１の表地全体の素材に西陣織の織布を使用している。図１のベビーシューズに使用している西陣織の色柄は七宝柄のものを用いているが、西陣織の色柄は無限にあるため、用途、機能に合わせて色柄を適宜選択して使用することは勿論のことである。
ベビーシューズ本体１の内部全体にはウレタンスポンジを内包した生地を使用し、バイヤステープ等で両布を縫い付けて本体のパーツを作成していき、最終的にパーツ同士を縫合することによりベビーシューズ本体１を形成する。
なお、この実施例は１例であり本考案はこれに限定するものではなく、他のデザイン・機能性を持ち合わせたベビーシューズにも実施することができる。さらに使用する糸や、従来より多数存在する西陣織特有の織り方（平織、綾織、朱子織、つづれ織、金襴  等）を使い分けることでベビーシューズに最適な生地の硬さに変えることができる。
【図１】
0003204138.tif 000003
【図２】
0003204138.tif 000004